(57)【特許請求の範囲】
【請求項１】
少なくとも２個の上向きの制御突起を有する内部材と、少なくとも１個の下向きの制御突起を有し該内部材を覆い得る外部材とが連接されてなる棟瓦ユニットからなり、一の棟瓦ユニットの内部材を他の棟瓦ユニットの外部材が覆うように重合させ、外部材の下向きの制御突起と、内部材の上向きの制御突起とがジグザグ状の換気路を形成することを特徴とする換気用棟瓦。
【請求項２】
内部材が外部材の方向に向かって斜降する請求項１記載の換気用棟瓦。
【請求項３】
換気路形成用スペーサーを設けた請求項１又は２記載の換気用棟瓦。
【請求項４】
換気路に通気性隔壁を設けた請求項１〜３のいずれか１項に記載の換気用棟瓦。
【発明の詳細な説明】
【０００１】
【発明の属する技術分野】
本発明は、一般住宅をはじめとする瓦葺き屋根の建物に供する換気用棟瓦に関する。
【０００２】
【従来の技術】
従来、換気用棟瓦としては、例えば、特開平１１−１７２８５８号公報に記載の如く、家屋の棟頂上に敷設される棟瓦であって、下段に位置する瓦の略中央部に通気孔を有する矩形の突起（凸部）を設け、この瓦に重ねられる２段目に位置する瓦の前後両端の辺縁には、下段の瓦の矩形の突起（凸部）に係合する矩形の切欠（凹部）が形成され、この突起と切欠との係合により、重ねた上段の瓦が左右前後にずれるのを防止し、さらに、２段目の瓦の表面には階段状の突状が設けられ、３段目に重ねられる瓦との間に通気可能な間隙を生じせしめるように形成されている。そして、屋根裏に滞留する熱気や臭気等は、下段の瓦に設けられた通気孔及び２段目と３段目の瓦の間に形成された間隙を通して排出され換気を行うものである。
【０００３】
【発明が解決しようとする課題】
しかしながら、上記した前者の換気用棟瓦にあっては、棟瓦の形状が積み重ねられる段毎に異なるため、複雑な形状のものを数種類備えておく必要があり、したがって、製造型の管理から完成品の保管管理が煩雑となるばかりでなく、施工工事が複雑で高価なものとなり、高級住宅に限定される傾向にある。また一般的に強度、素材コストの点から下段の瓦に設けられる矩形の突起や、この突起に嵌合する２段目の瓦の切欠等の大きさには限度があるため、突起に設けられる通気孔は自から小さいものとなり、従って換気量という観点からすれば、必ずしも十分と言えるものではなかった。
【０００４】
本発明は、上記課題に鑑み、簡単な構造で施工作業性が容易であり、十分な換気量が得られ、また寄棟作りの屋根にも容易に適用出来る換気用棟瓦を安価に提供することを目的とする。
【０００５】
【課題を解決するための手段】
上記目的を達成するために、本発明は、少なくとも２個の上向きの制御突起を有する内部材と、少なくとも１個の下向きの制御突起を有し該内部材を覆い得る外部材とが連接されてなる棟瓦ユニットからなり、一の棟瓦ユニットの内部材を他の棟瓦ユニットの外部材が覆うように重合させ、外部材の下向きの制御突起と、内部材の上向きの制御突起とがジグザグ状の換気路を形成することを特徴とする換気用棟瓦を内容とする（請求項１）。
【０００６】
好ましい態様としての請求項２は、内部材が外部材の方向に向かって斜降する請求項１記載の換気用棟瓦である。
【０００７】
好ましい態様としての請求項３は、換気路形成用スペーサーを設けた請求項１又は２記載の換気用棟瓦である。
【０００８】
好ましい態様としての請求項４は、換気路に通気性隔壁を設けた請求項１〜３のいずれか１項に記載の換気用棟瓦である。
【０００９】
【作用】
本発明の換気用棟瓦は、外部材に少なくとも１個の下向きの制御突起を設け、内部材に少なくとも２個の上向きの制御突起とを設け、これら両制御突起を噛み合わせてジグザグ状の換気路を形成したことにより、止水性・排水性及び風の制御性に優れている。
【００１０】
また、形成される換気路は、その外部と接する部分は略水平方向に形成されるため、外部から強い風雨が換気用棟瓦に当たっても、風の方向と換気路の方向とが略９０度異なるため換気路の中に風雨が入りにくく、仮に入ったとしても、空気だけは通過し、雨水は上向きの制御突起で侵入を阻止され、該制御突起で形成される傾斜溝に沿って流れ落ちる。
【００１１】
更に、内部材を外部材の方向に向かって斜降するように形成することにより、止水性・排水性及び風の制御性は尚一層向上する。
【００１２】
更に、換気路形成用スペーサーを設けることにより、棟瓦ユニット同士の重合が容易になり、作業性は大巾に向上するとともに、所定のサイズの換気路が容易に形成される。更にまた、換気路に通気性隔壁を設けることにより、小鳥、蜂等の昆虫の侵入や営巣を防止することができる。
【００１３】
本発明の換気用棟瓦は、一の棟瓦ユニットの内部材を他の棟瓦ユニットの外部材が覆うように重合させ、この外部材と内部材との間に換気路を形成しているので、１種類の棟瓦で済み（両端の棟瓦を加えても３種類）、その結果、製造型の管理や、完成品の在庫管理が容易であるとともに、施工工事が容易になる。
【００１４】
【発明の実施の形態】
以下、本発明の実施例を図面に基づいて説明するが、本発明は以下の実施例に限定されるものではない。
【００１５】
実施例１
本発明の実施例１における換気用棟瓦について説明する。図１（ａ）は、棟瓦ユニットが連接された状態を示す側面図、図１（ｂ）は、その側断面図、図１（ｃ）は、Ｘ−Ｘ線断面図、図１（ｄ）は、Ｙ−Ｙ線断面図、また図１（ｅ）は、棟瓦ユニットの斜視図である。
【００１６】
図１（ｂ）に示したように、棟瓦ユニット１は内部材２と該内部材２を覆い得る外部材４とからなり、内部材２には２個の上向きの制御突起３ａが設けられ、外部材４には１個の下向きの制御突起３ｂが設けられ、一の棟瓦ユニット１の内部材２を、他の棟瓦ユニット１の外部材４が覆うように重合することにより連接し、外部材４と内部材２との間に２個の上向きの制御突起３ａと１個の下向きの制御突起３ｂとによりジグザグ状の換気路５を形成している。換気路５の幅は換気用棟瓦の形状や大きさにより一概に規定できないが、通常２〜３０ｍｍ、好ましくは５〜１５ｍｍ程度である。この場合、換気用棟瓦の１ｍ当りの換気口面積は、約５０〜１５０ｃｍ2 ／ｍとなる。
【００１７】
そして、下方（室内）からの上昇気流はそれぞれのジグザグ状の換気路５を通過し換気排出口６から外部へ排出される。一方、この換気排出口６から雨水が侵入した場合は内部材２に設けた上向きの２個の制御突起３ａ、外部材４に設けた１個の下向きの制御突起３ｂとにより阻止され、図１（ｂ）、（ｅ）から明らかなように、内部材２と外部材４との接合している接合壁７と内部材２の上向きの制御突起３ａとで形成される傾斜溝８、あるいは上向きの制御突起３ａ、３ａ間で形成される傾斜溝８にそって流下し外部へ排出される。
棟瓦ユニットは、通常の粘土や陶器の他、セメント・コンクリート（繊維強化）、スレート、アルミやステンレス等の金属、不燃性・難燃性プラスチック等から作られるが、これらに限定されない。
なお、このように連接された棟瓦ユニット１の左右端部の棟瓦としては、図１（ｂ）に示したように左右別々の異なった形状の端棟瓦９が用いられるが、適当な形状の金属製や不燃性・難燃性プラスチック製のものをエンドキャップとして用いることもできる。
【００１８】
実施例２
図２に示すように、実施例１において、山型形状を半円形状に変更した他は実施例１の場合と同様である。このような形態の棟瓦ユニットは、従来の和風的屋根に一層マッチングするだけではなく、換気路５の下方部は真下方向に向いているので、換気排出の際に受ける横風の影響がそれだけ少なくて済むという効果がある。
【００１９】
実施例３
図３に示すように、実施例１において、内部材２を外部材４の方向に向かって斜降する形態とした他は実施例１の場合と同様である。このような斜降形態にすることにより、止水性・排水性及び制御性がより強化され、例えば、台風の時のような大雨の際等に換気排出口６から多量の雨水が侵入しても効果的に阻止される。また、この種の換気用棟瓦を用いれば、建物の棟部の一部が傾斜している寄せ棟作りの家にも容易に対応することができる。
【００２０】
実施例４
図４に示すように、実施例１において、通気路５の換気排出口６の近くに通気性隔壁１０を設けた他は実施例１の場合と同様である。このように構成することにより、小鳥あるいは蜂等の昆虫が侵入したり、営巣することにより換気路５が閉塞されることが防止される。通気性隔壁１０の形成手法としては、内部材２または外部材４のどちらか一方に、図示したように、棟瓦の製造時に一体的に網状体を形成してもよいし、後で金属、プラスチック、繊維等からなる網等を張設するようにしても良い。
【００２１】
実施例５
図５の（ａ）、（ｂ）に示すように、実施例１において、外部材４の内部材２側に換気路形成用スペーサー２３ａを突設した他は実施例１と同様である。このようなスペーサー１１を設けることにより、棟瓦ユニットの重合作業が容易になり作業効率が大巾に高められるとともに、一定の幅の換気排出口６が容易に形成される。
尚、概スペーサー１１は、内部材２のａ面に設けても、また外部材４のｂ面に設けてもよい。
【００２２】
【発明の効果】
叙上のように、本発明の換気用棟瓦は、外部材に少なくとも１個の下向きの制御突起を設け、内部材に少なくとも２個の上向きの制御突起とを設け、これら両制御突起を噛み合わせてジグザグ状の換気路を形成したことにより、止水性・排水性及び風の制御性に優れている。
【００２３】
また、形成される換気路は、その外部と接する部分は略水平方向に形成されるため、外部から強い風雨が換気用棟瓦に当たっても、風の方向と換気路の方向とが略９０度異なるため換気路の中に風雨が入りにくく、仮に入ったとしても、空気だけは通過し、雨水は上向きの制御突起で侵入を阻止され、該制御突起で形成される傾斜溝に沿って流れ落ちる。
【００２４】
更に、内部材を外部材の方向に向かって斜降するように形成することにより、止水性・排水性及び風の制御性は尚一層向上する。
【００２５】
更に、換気路形成用スペーサーを設けることにより、棟瓦ユニット同士の重合が容易になり、作業性は大巾に向上するとともに、所定のサイズの換気路が容易に形成される。更にまた、換気路に通気性隔壁を設けることにより、小鳥、蜂等の昆虫の侵入や営巣を防止することができる。
【００２６】
本発明の換気用棟瓦は、一の棟瓦ユニットの内部材を他の棟瓦ユニットの外部材が覆うように重合させ、この外部材と内部材との間に換気路を形成しているので、１種類の棟瓦で済み（両端の棟瓦を加えても３種類）、その結果、製造型の管理や、完成品の在庫管理が容易であるとともに、施工工事が容易になる。
【図面の簡単な説明】
【図１】（ａ）  棟瓦ユニットの一例を示し、該ユニットが連接された状態を示す外観図である。
（ｂ）  同棟瓦ユニット側断面図である。
（ｃ）  図１（ｂ）のＸ−Ｘ線断面図である。
（ｄ）  図１（ｂ）のＹ−Ｙ線断面図である。
（ｅ）  棟瓦ユニットの斜視図である。
【図２】棟瓦ユニットの更に他の例を示し、形状を半円形状にした形態の断面図である。
【図３】棟瓦ユニットの別の例を示し、内部材が外部材へ向かって斜降する形態の側断面図である。
【図４】棟瓦ユニットの更に別の例を示し、換気路に通気性隔壁を設けた形態の側断面図である。
【図５】（ａ）  棟瓦ユニットの更に別の例を示し、換気路形成用スペーサーを設けた形状の棟瓦ユニットが連接された状態を示す外観図である。
（ｂ）  同棟瓦ユニットの斜視図である。
【符号の説明】
１  棟瓦ユニット
２  内部材
３ａ  上向きの制御突起
３ｂ  下向きの制御突起
４  外部材
５  換気路
６  換気排出口
７  接合壁
８  傾斜溝
９  端棟瓦
１０  通気性隔壁
１１  スペーサー
【図１】
0003647401.tif 000002
【図２】
0003647401.tif 000003
【図３】
0003647401.tif 000004
【図４】
0003647401.tif 000005
【図５】
0003647401.tif 000006